(57)【要約】      （修正有）【課題】表示部の一部に不具合が生じても現在時刻の設定が可能となる時刻設定装置及び遠隔操作装置を提供する。【解決手段】時刻設定装置は、現在時刻の設定操作を行う操作部１と、現在時刻を表示可能な表示部２と、設定操作に基いて現在時刻を設定する現在時刻設定機能を有する制御部と、を備える。制御部は、現在時刻の設定中に表示部２の所定の第１時刻表示部２１に設定中の現在時刻を表示し、かつ、第１時刻表示部２１と共にあるいは第１時刻表示部２１に替えて第１時刻表示部２１とは異なる第２時刻表示部２２、２４、２５に設定中の現在時刻を表示する。【選択図】図１
2020003238.tif 000002
【特許請求の範囲】
【請求項１】
現在時刻の設定操作を行う操作部（１）と、前記現在時刻を表示可能な表示部（２）と、前記設定操作に基いて前記現在時刻を設定する現在時刻設定機能を有する制御部（４）と、を備える時刻設定装置であって、前記制御部（４）は、前記現在時刻の設定中に前記表示部（２）の所定の第１時刻表示部（２１）に設定中の現在時刻を表示し、かつ、前記第１時刻表示部（２１）と共にあるいは前記第１時刻表示部（２１）に替えて前記第１時刻表示部（２１）とは異なる第２時刻表示部（２２、２４、２５）に前記設定中の現在時刻を表示する、時刻設定装置。
【請求項２】
機器（２００）を遠隔操作する遠隔操作装置であって、請求項１に記載の時刻設定装置を備える、遠隔操作装置。
【発明の詳細な説明】
【技術分野】
【０００１】
本発明は、現在時刻を設定する時刻設定装置及び遠隔操作装置に関する。
【背景技術】
【０００２】
従来の時刻設定装置は、例えば遠隔操作装置であるリモコンの現在時刻の設定において、表示部の所定領域に設定中の現在時刻を表示するものであった（例えば、特許文献１参照）。この表示部には液晶表示器などが用いられるが、ドットマトリクス型と比較して安価であるなどの理由から、遠隔操作装置の表示部には、所定形状に形成されたセグメントの組み合わせによって情報を表示するセグメント型の表示部が用いられることが多い。セグメント型の表示部における現在時刻の表示は、８の字に配置された７個の矩形状のセグメントの組み合わせによって、１桁の数字「０」から「９」までを表現するのが一般的である。
【先行技術文献】
【特許文献】
【０００３】
【特許文献１】特開２００２−４０１７８号公報
【発明の概要】
【発明が解決しようとする課題】
【０００４】
しかしながら、セグメント型の表示部においては、現在時刻の数字を表示する７個のセグメントの一部に導通不良の不具合が生じると、セグメントの表示欠けによって時刻（数字）の見分けが出来なくなり、現在時刻の設定を正しく行うことができなくなる、といった問題点があった。特に、遠隔操作装置においては、現在時刻が設定できなくなると操作対象機器（例えば空気調和機）の入タイマー機能や切タイマー機能などの現在時刻を必要とする機能を使用できなくなり、表示部の一部の不具合が操作対象機器の機能制限の原因となる点で改善の余地があった。
【０００５】
そこで本発明の目的は、上述課題に着目し、表示部の一部に不具合が生じても現在時刻の設定が可能となる時刻設定装置及び遠隔操作装置を提供することにある。
【課題を解決するための手段】
【０００６】
本発明の第１の開示に係る時刻設定装置は、現在時刻の設定操作を行う操作部（１）と、前記現在時刻を表示可能な表示部（２）と、前記設定操作に基いて前記現在時刻を設定する現在時刻設定機能を有する制御部（４）と、を備える時刻設定装置であって、前記制御部（４）は、前記現在時刻の設定中に前記表示部（２）の所定の第１時刻表示部（２１）に設定中の現在時刻を表示し、かつ、前記第１時刻表示部（２１）と共にあるいは前記第１時刻表示部（２１）に替えて前記第１時刻表示部（２１）とは異なる第２時刻表示部（２２、２４、２５）に前記設定中の現在時刻を表示する。
【０００７】
本発明の第２の開示に係る遠隔操作装置は、機器（２００）を遠隔操作する遠隔操作装置であって、第１の開示に記載の時刻設定装置を備える。
【発明の効果】
【０００８】
本発明の第１の開示に係る時刻設定装置によれば、複数の時刻表示部に同時にあるいは順次切り替えて設定中の現在時刻を表示することによって、表示部の一部に不具合が生じても現在時刻の設定が可能となる。
【０００９】
本発明の第２の開示に係る遠隔操作装置によれば、複数の時刻表示部に同時にあるいは順次切り替えて設定中の現在時刻を表示することによって、表示部の一部に不具合が生じても現在時刻の設定が可能となり、現在時刻を必要とする機能を使用することができる。
【図面の簡単な説明】
【００１０】
【図１】本発明の実施形態である遠隔操作装置の正面図である。
【図２】遠隔操作装置のブロック図である。
【図３Ａ】遠隔操作装置の表示部の７個のセグメントの例を示す図である。
【図３Ｂ】遠隔操作装置の表示部の７個のセグメントにおける表示値と正常時の表示と導通不良時の表示とを比較して示す図である。
【図４】従来の技術である遠隔操作装置の表示例を示す図である。
【図５】図１に示す遠隔操作装置の第１の実施例を示す図である。
【図６Ａ】図１に示す遠隔操作装置の第２の実施例を示す図である。
【図６Ｂ】図１に示す遠隔操作装置の第２の実施例を示す図である。
【図６Ｃ】図１に示す遠隔操作装置の第２の実施例を示す図である。
【図６Ｄ】図１に示す遠隔操作装置の第２の実施例を示す図である。
【発明を実施するための形態】
【００１１】
以下、本発明の時刻設定装置及び遠隔操作装置の実施形態として、空気調和機用のリモートコントローラ（以下、リモコンと記す）に適用したものを例に挙げて、図面を用いて説明する。
【００１２】
図１及び図２は、本発明の実施形態であるリモコン１００を示す図である。図１に示すように、リモコン１００は、操作部１と、表示部２と、ケース３と、を備え、図２に示すように、操作部１と、表示部２と、遠隔操作対象となる空気調和機（機器）２００と通信可能に接続される制御部４と、をケース３内の回路基板（図示しない）に実装している。操作部１と表示部２と制御部４とは、現在時刻を設定する時刻設定装置としても機能する。言い換えると、リモコン１００は、現在時刻を設定する時刻設定装置を備える遠隔操作装置である。
【００１３】
操作部１は、利用者が触れることができるようにキートップを露出する押しボタンスイッチを適用でき、この場合、複数設けられる。キートップには、機能を示す文字やシンボルマークなどの意匠を印刷することもできる。また、操作部１は、ケース３内の前記回路基板に実装されたタクトスイッチ素子（図示しない）を備え、利用者の押圧操作に基づくキートップの位置変化に連動して前記タクトスイッチ素子が作動し、操作信号として制御部４へ出力できる。本実施形態においては、操作部１として、電源のオンオフ操作を行う入／切スイッチ１１と、後述する現在時刻設定モードへの切替操作を行う時刻合わせスイッチ１２と、タイマー時間設定モードへの切替操作を行うタイマースイッチ１３と、各種モードにおける設定変更操作等を行う上スイッチ１４及び下スイッチ１５と、各種モードにおける決定操作を行う決定スイッチ１６と、メニューモードへの切替操作を行うメニュースイッチ１７と、各種モードにおける戻り操作を行う戻るスイッチ１８と、空気調和機２００の運転モード（除湿、冷房、暖房）の切替操作を行う除湿スイッチ１９ａ、暖房スイッチ１９ｂ、冷房スイッチ１９ｃと、を備える。
【００１４】
表示部２は、例えば液晶表示素子を用いた表示器を適用でき、制御部４からの制御信号に基づいて所望の表示出力を行うことができる。表示部２は、例えば、空気調和機２００の室内／室外温度や、現在時刻、タイマー時刻、運転モード、各種設定状態や操作ガイドなどを表示できる。また、表示部２を透明なタッチパネルで覆うことで、操作部（入力インタフェース）の一部として兼用することもできる。表示部２は、複数の表示領域を有し、本実施形態においては、現在時刻あるいは電源をオフする切タイマー時刻を表示可能な現在時刻表示部２１と、電源をオンする入タイマー時刻を表示可能な入タイマー時刻表示部２２と、空気調和機２００の運転モードを表示する運転モード表示部２３と、室内温度や設定温度を表示可能な温度表示部２４と、各種設定状態や操作ガイドなどを表示可能なドット表示部２５と、を備える。なお、現在時刻表示部２１、入タイマー時刻表示部２２、運転モード表示部２３及び温度表示部２４は、所定形状のセグメントの表示、非表示の組み合わせによって情報を表示するセグメント型表示部であり、ドット表示部２５は複数の矩形状のドットの組み合わせによって情報を表示するドットマトリクス型表示部である。セグメント型表示部においては、１桁の数字（「０」から「９」）を８の字状に配置された７個のセグメントによって表示する。以下、１桁の数字を表示するための７個のセグメントを単に「７個のセグメント」ともいう。
【００１５】
ケース３は、例えば合成樹脂材からなり、操作部１の電子部品や表示部２、制御部４を実装する回路基板を収納する筐体である。また、ケース３は、板状であり、底面と反対側に、操作部１や表示部２を露出する開口部を有する操作面（表面）が設けられる。
【００１６】
制御部４は、操作部１や空気調和機２００からの信号に基づいて、表示部２を駆動したり、空気調和機２００への設定を促す通信信号を出力したりすることができ、例えば、演算回路や記憶回路、計時回路等を有するマイクロコンピュータを適用できる。この場合、制御部４は、空気調和機２００と通信するための送受信回路を含み、有線または無線にて利用者の操作に基づく空気調和機２００の遠隔操作を行うことができる。また、制御部４は、現在時刻を設定する現在時刻設定機能を備え、操作部１の操作に基いて現在時刻の設定を行うことができる。
【００１７】
次に、図３Ａ及び図３Ｂを用いて、セグメント型表示部における導通不良とこれによって生じる表示欠けについて述べる。
【００１８】
図３Ａは、セグメント型表示部における７個のセグメントの例と、７個のセグメントの制御部４の出力ポートの割当ての例を示している。この例では、７個のセグメントａ〜ｇは、アノード側が２つ、カソード側が４つの出力ポートに割り当てられている。具体的には、出力ポートＳＥＧ１には、セグメントａ、ｂ、ｃのアノードが割当てられており、出力ポートＳＥＧ２にはセグメントｄ、ｅ、ｇ、ｆのアノードが割り当てられている。さらに、出力ポートＣＯＭ０にはセグメントａ、ｆのカソードが割り当てられ、出力ポートＣＯＭ１にはセグメントｇ、ｆのカソードが割り当てられ、出力ポートＣＯＭ２にはセグメントｃ、ｅのカソードが割り当てられ、出力ポートＣＯＭ３にはセグメントｄのカソードが割り当てられている。７個のセグメントａ〜ｇは、出力ポートＳＥＧ１、ＳＥＧ２及び出力ポートＣＯＭ０〜ＣＯＭ３の信号の有無の組み合わせによって各セグメントの表示状態と非表示状態とが切り替えられて任意の数字を表示する。
【００１９】
図３Ｂは、図３Ａで示した７個のセグメントａ〜ｇにおける、表示値（表示すべき値）と、正常時の表示と、出力ポートＳＥＧ２からの信号が導通不良を起こした場合の表示と、を比較して示すものである。なお、各セグメントのうち、塗りつぶして示すセグメントは表示状態（利用者に視認される状態）を示し、白抜きで示すセグメントは非表示状態（利用者に視認されない状態）を示す。図で示すように、出力ポートＳＥＧ２の導通不良により、表示値に係わらずセグメントｄ、ｅ、ｆ、ｇが非表示状態となり、セグメントに表示欠けが生じる。その結果、図の例では、表示値が「５」と「６」とで見分けがつかなくなり、表示値が「３」と「７」と「８」と「９」とで見分けがつかなくなり、表示値が「１」と「４」とで見分けがつかなくなる。
【００２０】
図４は、従来の技術であるリモコン３００における現在時刻設定時の表示を示す。なお、リモコン３００について、リモコン１００と同一あるいは相当部分には同一符号を付してその詳細は省略する。リモコン３００（制御部４）は、電池交換あるいは利用者が時刻合わせスイッチ１２を押下操作することに伴って、現在時刻設定モードに移行し、表示部２に現在時刻設定画面を表示する。現在時刻設定画面において、現在時刻表示部２１には、設定中の現在時刻（図では「１２：００」）が表示され、また、表示内容が現在時刻であることを示す「現在時刻」のセグメントが表示される。設定中の現在時刻は上スイッチ１４あるいは下スイッチ１５の押下操作に伴って増減し、決定スイッチ１６の押下操作に伴って決定され、現在時刻の設定が完了する。現在時刻の設定が完了すると、表示部２は現在時刻設定画面から通常の表示画面に戻る。このように、従来の技術においては、設定中の現在時刻は表示部２の任意の１個所に表示されるのみである。このとき、設定中の現在時刻を表示する現在時刻表示部２１の７個のセグメントに前述した導通不良が生じると、時刻（数字）の見分けがつかなくなり、正しく現在時刻を設定することができなくなる。
【００２１】
（第１の実施例）
図５は、本発明の第１の実施例における現在時刻設定時の表示を示す。リモコン１００（制御部４）は、電池交換あるいは利用者が時刻合わせスイッチ１２を押下操作することに伴って、現在時刻設定モードに移行し、表示部２に現在時刻設定画面を表示する。現在時刻設定画面において、現在時刻表示部２１（本発明の第１時刻表示部に相当）に加え、入タイマー時刻表示部２２、温度表示部２４及びドット表示部２５（本発明の第２時刻表示部に相当）にも、設定中の現在時刻が表示される。設定中の現在時刻は上スイッチ１４あるいは下スイッチ１５の押下操作に伴って増減し、決定スイッチ１６の押下操作に伴って決定され、現在時刻の設定が完了する。現在時刻の設定が完了すると、表示部２は現在時刻設定画面から通常の表示画面に戻る。このように、時刻（４桁の数字）の表示が可能な複数の表示領域に設定中の現在時刻を同時に表示することによって、表示部２の一部に導通不良が生じても正しく時刻が表示される表示領域を参照して現在時刻の設定が可能となり、時刻設定装置及びこれを備える遠隔操作装置としての利便性が向上する。
【００２２】
（第２の実施例）
図６Ａ、図６Ｂ、図６Ｃ、図６Ｄは、本発明の第２の実施例における現在時刻設定時の表示を示す。リモコン１００（制御部４）は、電池交換あるいは利用者が時刻合わせスイッチ１２を押下操作することに伴って、現在時刻設定モードに移行し、表示部２に現在時刻設定画面を表示する。現在時刻設定画面において、まず図６Ａに示すように現在時刻表示部２１に設定中の現在時刻が表示される。図６Ａの状態からさらに利用者が時刻合わせスイッチ１２を押下操作すると、図６Ｂに示すように現在時刻表示部２１に替えて入タイマー時刻表示部２２に設定中の現在時刻が表示される。図６Ｂの状態からさらに利用者が時刻合わせスイッチ１２を押下操作すると、図６Ｃに示すように入タイマー時刻表示部２２に替えて温度表示部２４に設定中の現在時刻が表示される。図６Ｃの状態からさらに利用者が時刻合わせスイッチ１２を押下操作すると、図６Ｄに示すように温度表示部２４に替えてドット表示部２５に設定中の現在時刻が表示される。図６Ｄの状態からさらに利用者が時刻合わせスイッチ１２を押下操作すると、図６Ａに示す表示に戻る。設定中の現在時刻は上スイッチ１４あるいは下スイッチ１５の押下操作に伴って増減し、決定スイッチ１６の押下操作に伴って決定され、現在時刻の設定が完了する。現在時刻の設定が完了すると、表示部２は現在時刻設定画面から通常の表示画面に戻る。このように、時刻（４桁の数字）の表示が可能な複数の表示領域に設定中の現在時刻を順次切り替えて表示することによって、表示部の一部に導通不良が生じても時刻が正しく表示される表示領域を順次切り替えて参照して現在時刻の設定が可能となり、時刻設定装置及びこれを備える遠隔操作装置としての利便性が向上する。なお、この例では、現在時刻の設定が完了したときに設定中の現在時刻を表示していた表示領域（現在時刻表示部２１、入タイマー時刻表示部２２、温度表示部２４、ドット表示部２５のいずれか）を制御部４の記憶媒体に格納し、通常の表示画面において現在時刻を表示する際や再度現在時刻の設定を行う際に、記憶媒体に格納される表示領域に現在時刻や設定中の現在時刻を表示してもよい。ただし、タイマー操作や温度表示などの表示領域の本来の機能の表示と重複する場合は機能の表示が優先して表示される。
【００２３】
なお、本発明の時刻設定装置及び遠隔操作装置を上述した実施の形態の構成にて例に挙げて説明したが、本発明はこれに限定されるものではなく、他の構成においても、本発明の要旨を逸脱しない範囲において種々の改良、並びに表示の変更が可能なことは勿論である。例えば、現在時刻を表示する現在時刻表示部と切タイマー時刻を表示する切タイマー時刻表示部とは別に設けられてもよい。
【００２４】
また、遠隔操作の対象機器として、空気調和機だけでなく、例えば、給湯機や電灯などを操作するものであってもよい。
【００２５】
また、本発明の時刻設定装置は、遠隔操作装置に備えられるもののほか、時刻の表示が可能な表示部（表示領域）を複数備える機器であれば、時計や家電機器などに広く適用可能である。
【符号の説明】
【００２６】
１００、３００    リモコン（遠隔操作装置）
２００    空気調和機（機器）
１    操作部
２    表示部
２１  現在時刻表示部（第１時刻表示部）
２２  入タイマー時刻表示部（第２時刻表示部）
２３  運転モード表示部
２４  温度表示部（第２時刻表示部）
２５  ドット表示部（第２時刻表示部）
３    ケース
４    制御部
【図１】
2020003238.tif 000003
【図２】
2020003238.tif 000004
【図３Ａ】
2020003238.tif 000005
【図３Ｂ】
2020003238.tif 000006
【図４】
2020003238.tif 000007
【図５】
2020003238.tif 000008
【図６Ａ】
2020003238.tif 000009
【図６Ｂ】
2020003238.tif 000010
【図６Ｃ】
2020003238.tif 000011
【図６Ｄ】
2020003238.tif 000012